(57)【要約】      （修正有）【課題】コネクタピン同士の間隔に係わらず、製造が容易であるとともにシールド性能が確保される回路基板用シールドケース、該回路基板用シールドケースを備える高周波ユニット及び高周波機器を提供する。【解決手段】回路基板用シールドケースは、一列に配列された複数のコネクタピン２４を介して外部基板に電気的に接続される回路基板を収容するために用いられる。回路基板用シールドケースは、コネクタピン２４が挿通される開口３０同士を仕切る横断要素３２を有する金属板１４ｃを備える。横断要素３２は、同一の直線上に位置し且つ相互に離間した端部３２ａと、直線に沿う端部３２ａの側縁に一体に連なり、端部３２ａ同士を繋ぐ中央部３２ｂとを有し、且つ、中央部３２ｂが端部３２ａに対し直角に連なるよう、側縁にて折り曲げられている。【選択図】図４
2011228401.tif 000002
【特許請求の範囲】
【請求項１】
一列に配列された複数のコネクタピンを介して外部基板に電気的に接続される回路基板を収容するための回路基板用シールドケースにおいて、
前記コネクタピンが挿通される複数の開口及び前記開口同士を仕切る横断要素を有する金属板を備え、
前記横断要素の各々は、
同一の直線上に位置し且つ相互に離間した端部と、
前記直線に沿う前記端部の側縁に一体に連なり、前記端部同士を繋ぐ中央部とを有し、且つ、
前記中央部が前記端部に対し直角に連なるよう、前記側縁にて折り曲げられている
ことを特徴とする回路基板用シールドケース。
【請求項２】
請求項１に記載の回路基板用シールドケースにおいて、
前記横断要素は、前記中央部が前記シールドケースの内側に突出するように、折り曲げられている
ことを特徴とする回路基板用シールドケース。
【請求項３】
請求項１又は２に記載の回路基板用シールドケースにおいて、
前記横断要素は、展開してみたとき、クランク形状を有する
ことを特徴とする回路基板用シールドケース。
【請求項４】
請求項３に記載の回路基板用シールドケースにおいて、
前記横断要素は、前記中央部に一体に設けられ、展開してみたとき、隣の横断要素に向けて突出する凸部を含む
ことを特徴とする回路基板用シールドケース。
【請求項５】
請求項１乃至４の何れか一項に記載の回路基板用シールドケースと、
前記回路基板用シールドケース内に配置される回路基板と
を備えることを特徴とする高周波ユニット。
【請求項６】
請求項５に記載の高周波ユニットと、
前記高周波ユニットが搭載される前記外部基板としてのマザーボードと
を備えることを特徴とする高周波機器。
【発明の詳細な説明】
【技術分野】
【０００１】
本発明は回路基板用シールドケース、該回路基板用シールドケースを備える高周波ユニット及び高周波機器に関する。
【背景技術】
【０００２】
回路基板用シールドケースは、例えば、テレビチューナの筐体に用いられる。特許文献１が開示する回路基板用シールドケースは、丸孔が形成された金属製のカバーを有し、丸孔を通じて接続端子が外部に突出させられる。そして、接続端子が、テレビのマザーボードに電気的に接続される。
【０００３】
特許文献１が開示する回路基板用シールドケースでは、丸孔同士がカバーの一部（横断要素）によって相互に区切られており、横断要素は、外部から回路基板用シールドケース内に妨害電波が侵入することを抑制する。つまり、横断要素によって、シールドケースのシールド性能が向上している。
また、特許文献１が開示する回路基板用シールドケースでは、丸孔の開口縁から一体に突出するアース端子によって、更にシールド性能が向上している。
【先行技術文献】
【特許文献】
【０００４】
【特許文献１】特開平１０−７９５９０号公報
【発明の概要】
【発明が解決しようとする課題】
【０００５】
しかしながら、従来技術のように、カバーに丸孔を形成する場合、接続端子同士の間隔が短くなると、丸孔同士も近くなり、カバーの材料を打ち抜いて丸孔を形成することが困難になる。
また、丸孔の場合、接続端子同士の間隔が短くなると、丸孔の直径も小さくする必要があり、接続端子と丸孔の縁との距離が近くなる。接続端子と丸孔の縁との距離が近くなり過ぎると、寸法公差や組み立て時のばらつき等に起因して、接続端子と丸孔とが接触する可能性が高くなる。このため絶縁の確保が困難になり、丸孔を通じて接続端子を外部に突出させている場合、接続端子同士の間隔を短くするにも限界がある。
【０００６】
本発明は上記した事情に鑑みてなされ、その目的とするところは、コネクタピン同士の間隔に係わらず、製造が容易であるとともにシールド性能が確保される回路基板用シールドケース、該回路基板用シールドケースを備える高周波ユニット及び高周波機器を提供することにある。
【課題を解決するための手段】
【０００７】
上記の課題を解決するため、本発明は以下の解決手段を採用する。
【０００８】
解決手段１：本発明の一態様によれば、一列に配列された複数のコネクタピンを介して外部基板に電気的に接続される回路基板を収容するための回路基板用シールドケースにおいて、前記コネクタピンが挿通される複数の開口及び前記開口同士を仕切る横断要素を有する金属板を備え、前記横断要素の各々は、同一の直線上に位置し且つ相互に離間した端部と、前記直線に沿う前記端部の側縁に一体に連なり、前記端部同士を繋ぐ中央部とを有し、且つ、前記中央部が前記端部に対し直角に連なるよう、前記側縁にて折り曲げられていることを特徴とする回路基板用シールドケースが提供される。
【０００９】
解決手段１の回路基板用シールドケースでは、開口同士を仕切る横断要素によって、シールドケース内への妨害電波の侵入が抑制され、シールド性能が確保される。
一方、この回路基板用シールドケースでは、コネクタピン同士の間に位置する横断要素の中央部が、端部に対して直角に連なっている。従って、コネクタピンの配列方向での中央部の幅は、金属板の厚さに等しく、極めて小さい。このため、コネクタピン同士の間隔が短くても、コネクタピンが中央部に接触することが防止され、コネクタピンと中央部との間の絶縁が確保される。
【００１０】
他方、この回路基板用シールドケースでは、横断要素は、端部の側縁にて折り曲げられており、コネクタピンの間隔に係わらず、金属板を展開してみたとき、横断要素の幅が十分に確保される。このため、折り曲げ前の横断要素の形状を残すように、金属板の材料板を打ち抜くことは容易である。
なお、中央部が端部に直角に連なるという表現は、正確に直角に連なることのみならず、直角から数度の誤差をもって連なることも含む。
【００１１】
解決手段２：好ましくは、前記横断要素は、前記中央部が前記シールドケースの内側に突出するように、折り曲げられている。
【００１２】
解決手段２の回路基板用シールドケースでは、中央部が内側に突出しているため、中央部がシールドケースの外部の物体と衝突し難い。この結果、中央部の形状が不所望に変化させられることが防止され、コネクタピンと中央部との間の絶縁がより一層確保される。
【００１３】
解決手段３：好ましくは、前記横断要素は、展開してみたとき、クランク形状を有する。
【００１４】
解決手段３の回路基板用シールドケースでは、横断要素がクランク形状を有することによって、横断要素が端部の側縁にて容易に折り曲げられる。また、横断要素がクランク形状を有することによって、折り曲げ前の横断要素の形状を残すように、金属板の材料板を打ち抜くことは容易である。
【００１５】
解決手段４：好ましくは、前記横断要素は、前記中央部に一体に設けられ、展開してみたとき、隣の横断要素に向けて突出する凸部を含む。
【００１６】
解決手段４の回路基板用シールドケースでは、横断要素を折り曲げた後、凸部によっても妨害電波のシールドケース内への侵入が抑制される。この結果として、この回路基板用シールドケースは、更に優れたシールド性能を有する。
一方、展開してみたとき、横断要素はクランク形状を有するので、一の横断要素の中央部と隣の横断要素の凸部との間には十分な距離が確保される。このため、凸部を設けても、金属板の材料板を打ち抜くことは容易である。
【００１７】
解決手段５：本発明の他の態様によれば、解決手段１乃至４の何れか一項に記載の回路基板用シールドケースと、前記回路基板用シールドケース内に配置される回路基板とを備えることを特徴とする高周波ユニットが提供される。
【００１８】
解決手段５の高周波ユニットでは、コネクタピン同士の間隔が短くても、コネクタピンと横断要素との間の絶縁が確保されるので、コネクタピンの小型化が可能である。このため、この高周波ユニット全体の小型化も可能である。
【００１９】
解決手段６：本発明の更に他の態様によれば、解決手段５に記載の高周波ユニットと、前記高周波ユニットが搭載される前記外部基板としてのマザーボードとを備えることを特徴とする高周波機器が提供される。
【００２０】
解決手段６の高周波機器では、マザーボードに搭載される高周波ユニットの小型化が可能であるため、マザーボードやマザーボードを収容するハウジングの小型化が可能である。このため、この高周波機器全体の小型化も可能である。
【発明の効果】
【００２１】
本発明によれば、コネクタピン同士の間隔に係わらず、製造が容易であるとともにシールド性能が確保される回路基板用シールドケース、該回路基板用シールドケースを備える高周波ユニット及び高周波機器を提供する提供される。
【図面の簡単な説明】
【００２２】
【図１】一実施形態の高周波ユニットとしてのテレビチューナをマザーボードとともに概略的に示す斜視図である。
【図２】図１のテレビチューナがマザーボードに固定された状態を示す側面図である。
【図３】図１のテレビチューナの同軸型コネクタとは反対側を示す概略的な斜視図である。
【図４】図３中の領域ＩＶを拡大して示す概略的な斜視図である。
【図５】図１のテレビチューナに用いられたカバーを示す概略的な平面図である。
【図６】図５中の領域ＶＩを拡大して示す概略的な部分平面図である。
【図７】図５のカバーを展開して示す概略的な平面図である。
【図８】図７中の領域ＶＩＩＩを拡大して示す概略的な部分平面図である。
【図９】変形例の横断要素を説明するための図８に相当する概略的な部分平面図である。
【図１０】他の変形例の横断要素を説明するための図８に相当する概略的な部分平面図である。
【発明を実施するための形態】
【００２３】
以下、本発明の実施形態について図面を参照しながら説明する。
図１は、一実施形態に係る高周波ユニットとしてのテレビチューナ１０をマザーボート（外部基板）１２とともに概略的に示す斜視図である。マザーボード１２は、例えば液晶テレビのための主回路基板であり、テレビチューナ１０は、マザーボード１２に搭載された状態で、液晶テレビに内蔵される。
【００２４】
つまり、テレビチューナ１０及びマザーボード１２は、液晶テレビの一部を構成している。テレビチューナ１０は、テレビ放送の信号を受信して復調し、復調された信号に基づいて、図示しない液晶テレビの液晶パネルに画像が表示される。
【００２５】
テレビチューナ１０は、金属製の箱形状のシールドケース１４を有する。例えば、シールドケース１４の一辺（高さ）は他の二辺（縦及び横）に比べて短く、シールドケース１４は、扁平若しくは薄型の箱形状を有する。
【００２６】
より詳しくは、シールドケース１４は枠部材１４ａを有する。枠部材１４ａは、ケースの一辺を含む４つの側面を構成し、平面でみて四角形状を有する。また、シールドケース１４は、２つのカバー１４ｂ，１４ｃを有し、カバー１４ｂ，１４ｃは、シールドケース１４の縦及び横の二辺を含む広い面を構成している。
【００２７】
カバー１４ｂ，１４ｃには、適当な形状の複数の係合爪１６が一体に形成されている。カバー１４ｂ，１４ｃは、係合爪１６によって、枠部材１４ａの開口を覆うように、枠部材１４ａに取り外し可能に取り付けられている。
【００２８】
枠部材１４ａには、略４隅に固定突起１８が一体に設けられ、固定突起１８は、シールドケース１４の高さ方向に突出している。マザーボード１２には、固定突起１８の先端を受け入れる固定孔２０が形成され、固定突起１８は、固定孔２０に挿入され半田付けされる。
固定孔２０の壁面にはグランド端子を構成するように導体層が設けられており、固定突起１８を介して、シールドケース１４はマザーボードのグランド端子に電気的に接続される。
【００２９】
カバー１４ｂには、例えばＦ型の同軸型コネクタ２２の根元が固定され、同軸型コネクタ２２は、シールドケース１４の高さ方向に突出している。同軸型コネクタ２２には、外部に設けられたアンテナ及び同軸ケーブルが接続される。
【００３０】
一方、カバー１４ｃからは、複数のコネクタピン２４が突出しており、コネクタピン２４に対応して、マザーボード１２にはスルーホール２６が形成されている。コネクタピン２４の先端は、スルーホール２６に挿入されて半田付けされる。
【００３１】
スルーホール２６の壁面には、テレビチューナ１０とマザーボード１２との間での電源供給、制御信号の送信、及び、復調された信号の受信のための端子として、導体層が設けられており、コネクタピン２４を介して、マザーボード１２からテレビチューナ１０への電源供給及び制御信号の送信が行われるとともに、テレビチューナ１０からマザーボード１２への復調された信号の送信が行われる。
【００３２】
図２は、テレビチューナ１０がマザーボード１２に固定された状態を示す側面図である。図２に点線で示したように、シールドケース１４内には、回路基板２８が収容され、回路基板２８は、カバー１４ｂ，１４ｃと平行になるように配置されている。
【００３３】
回路基板２８は、図示しないけれども、絶縁基板と適当な形状の導体パターンとからなり、ＩＣチップ等の電子部品が実装されている。導体パターン及び電子部品は、テレビ放送の信号を復調するための電気回路を構成し、この電気回路に、同軸型コネクタ２２を通じてテレビ放送の信号が入力される。
【００３４】
また、回路基板２８には、コネクタピン２４の根元が半田付けされ、コネクタピン２４を介して、電気回路への電源供給、制御信号の入力、及び、復調された信号の出力が行われる。
【００３５】
図３は、同軸型コネクタ２２とは反対側のテレビチューナ１０のカバー１４ｃ側を示す概略的な斜視図である。図３に示したように、コネクタピン２４は、ケース１４の横又は縦方向にて、一定間隔にて一列に配列され、各コネクタピン２４は、ケース１４の高さ方向に延びている。カバー１４ｃには、コネクタピン２４に対応して複数の開口３０が設けられ、１つの開口３０に１つのコネクタピン２４が挿通されている。従って、開口３０も、ケース１４の横又は縦方向にて一列に配列されている。
【００３６】
図４は、図３中の領域ＩＶを拡大して示す概略的な斜視図である。図４に示したように、開口３０は、カバー１４ｃの平坦な領域に形成され、開口３０同士は、横断要素３２によって相互に仕切られている。横断要素３２は、同一の直線上を延びる端部３２ａと、端部３２ａの側縁に一体に連なり、端部３２ａ同士を繋ぐ中央部３２ｂとからなる。
【００３７】
図５はカバー１４ｃの概略的な平面図であり、図６は、図５中の領域ＶＩを拡大して示す概略的な部分平面図である。図６に示したように、コネクタピン２４同士の間には、横断要素３２の中央部３２ｂが位置している。横断要素３２は、端部３２ａの側縁にて折り曲げられており、中央部３２ｂは、端部３２ａに直角に連なっている。なお、ここでいう直角は、厳密な直角のみならず、直角を中心とする数度程度の誤差範囲内の角度も含む。
【００３８】
従って、コネクタピン２４の配列方向でみて、中央部３２ｂの幅Ｗは、カバー１４ｃの平坦な領域の厚さ、つまり材料板の厚さに等しい。材料板の厚さは、例えば０．２ｍｍであり、コネクタピン２４のピッチ（中心距離）Ｐは例えば２ｍｍである。
【００３９】
一方、端部３２ａは、カバー１４ｃの平坦な領域と同一平面を規定しており、コネクタピン２４の配列方向でみて、端部３２ａの幅は中央部３２ｂの幅Ｗよりも大である。換言すれば、中央部３２ｂの幅Ｗは端部３２ａの幅よりも小である。
【００４０】
そして、対をなす端部３２ａ同士の間には空間が存しており、端部３２ａ同士の間隔、即ち中央部３２ｂの長さは、コネクタピン２４の幅若しくは直径よりも十分に長い。この端部３２ａ同士の間の空間の存在によって、開口３０は、平面でみて“凸”の字の形状を有する。
【００４１】
図７は、展開されたカバー１４ｃ、則ちカバー１４ｃの中間製品３４を示す概略的な展開図であり、図８は、図７中の領域ＶＩＩＩを拡大して示す概略的な部分展開図である。カバー１２ｃは、金属製の材料板をプレス加工により図７に示される形状の中間製品３４に成形してから、中間製品３４の所定箇所を適当に折り曲げて製造される。横断要素３２は、図８に１点鎖線で示された山折り線３６にて折り曲げられ、プレス加工によって形成された中間製品３４の開口３８が、より大きな開口３０に変形する。
【００４２】
図８でみたとき、横断要素３２はクランク形状を有し、端部３２ａはＩ字形状、中央部３２ｂはコの字形状若しくは角張ったＵ字形状を有する。ここで好ましい態様として、横断要素３２は、図８に示したように、中央部３２ｂと一体の凸部３２ｃを有する。凸部３２ｃは、中央部３２ｂに沿って設けられているが、中央部３２ｂよりも短い。
【００４３】
凸部３２ｃは、展開図でみたとき、端部３２ａとは反対側に位置し、隣の横断要素３２に向けて突出しているが、横断要素３２が折り曲げられると、シールドケース１４内の回路基板２８に向けて突出する。そして、隣の横断要素３２は、凸部３２ｃとの間に隙間を確保するように、“コ”の字形状の切欠４０が形成されている。
【００４４】
上述した一実施形態のシールドケース１４では、開口３０同士を仕切る横断要素３２によって、シールドケース１４内への妨害電波の侵入が抑制され、シールド性能が確保される。
【００４５】
一方、このシールドケース１４では、コネクタピン２４同士の間に位置する横断要素３２の中央部３２ｂが、端部３２ａに対して直角に連なっている。従って、コネクタピン２４の配列方向での中央部３２ｂの幅Ｗは、カバー１４ｃの平坦な領域の厚さに等しく、極めて小さい。このため、コネクタピン２４同士の間隔が短くても、コネクタピン２４が中央部３２ｂに接触することが防止され、コネクタピン２４と中央部３２ｂとの間の絶縁が確保される。
【００４６】
他方、このシールドケース１４では、横断要素３２は、端部３２ａの側縁にて折り曲げられており、コネクタピン２４同士の間隔に係わらず、カバー１４ｃを展開してみたとき、横断要素３２の幅が十分に確保される。このため、折り曲げ前の横断要素３２の形状を残しながら、カバー１４ｃの材料板を打ち抜くことは容易である。
【００４７】
上述した一実施形態のシールドケース１４では、中央部３２ｂがシールドケース１４の内側に向けて突出しているため、中央部３２ｂがシールドケース１４の外部の物体と衝突し難い。この結果、中央部３２ｂの形状が不所望に変化させられることが防止され、コネクタピン２４と中央部３２ｂとの間の絶縁がより一層確保される。
【００４８】
上述した一実施形態のシールドケース１４では、横断要素３２がクランク形状を有することによって、横断要素３２が端部３２ａの側縁にて容易に折り曲げられる。また、横断要素３２がクランク形状を有することによって、折り曲げ前の横断要素３２の形状を残しながら、カバー１４ｃの材料板を打ち抜くことは容易である。
【００４９】
上述した一実施形態のシールドケース１４では、横断要素３２を折り曲げた後、凸部によっても妨害電波のシールドケース１４内への侵入が抑制される。この結果として、このシールドケース１４は、更に優れたシールド性能を有する。
【００５０】
一方、展開してみたとき、横断要素３２はクランク形状を有するので、一の横断要素３２の中央部３２ｂと隣の横断要素３２の凸部３２ｃとの間には十分な距離があり、凸部３２ｃを設けても、カバー１４ｃの材料板を打ち抜くことは容易である。
【００５１】
上述した一実施形態のテレビチューナ１０では、コネクタピン２４同士の間隔が短くても、コネクタピン２４と横断要素３２との間の絶縁が確保されるので、コネクタピン２４の小型化が可能である。このため、このテレビチューナ１０全体の小型化も可能である。
【００５２】
上述した一実施形態のテレビチューナ１０を内蔵する液晶テレビでは、マザーボード１２に搭載されるテレビチューナ１０の小型化が可能であるため、マザーボード１２やマザーボード１２を収容するハウジングの小型化が可能である。このため、液晶テレビ全体の小型化も可能である。
【００５３】
本発明は、上述した一実施形態に限定されることはなく、上述した一実施形態に変更を加えた形態も含む。特に、図示とともに示した構成は、いずれも好ましい例であり、本発明の実施に際してこれらを適宜変更可能であることはいうまでもない。
【００５４】
上述した一実施形態においては、同軸型コネクタ２２はＦ型の同軸型コネクタであったけれども、ＩＥＣコネクタであってもよい。また、同軸型コネクタ２２は、枠部材１４ａに取り付けられていてもよい。
【００５５】
また、上述した一実施形態においては、コネクタピン２４が挿通される開口３０がカバー１４ｃの平坦な領域に形成されていたが、枠部材１４ａに形成されていてもよい。つまり、開口３０は、シールドケース１４を構成する金属板の何れにでも形成可能である。
【００５６】
更に、上述した一実施形態においては、横断要素３２の凸部３２ｃが、回路基板２２のグランド端子に半田付けされていてもよい。また、横断要素３２は、中央部３２ｂ及び凸部３２ｃがシールドケース１４の外側に突出するように折り曲げられていてもよい。
【００５７】
また更に横断要素３２の形状は、一実施形態に限定されることはない。例えば、図９に示したように、横断要素３２は、凸部３２ｃを有していなくてもよい。また、図１０に示したように、横断要素３２の角が適当に面取りされていてもよい。
【００５８】
最後に、本発明の回路基板用シールドケースは、テレビチューナ以外の機器にも適用可能であるのは勿論である。
【符号の説明】
【００５９】
１０                              テレビチューナ（高周波ユニット）
１２                              マザーボード（外部基板）
１４                              シールドケース
１４ａ                            枠部材
１４ｂ                            カバー
１４ｃ                            カバー（金属板）
２２                              同軸型コネクタ
２４                              コネクタピン
２８                              回路基板
３０                              開口
３２                              横断要素
３２ａ                            端部
３２ｂ                            中央部
３２ｃ                            凸部
３４                              中間製品
３６                              山折り線
【図１】
2011228401.tif 000003
【図２】
2011228401.tif 000004
【図３】
2011228401.tif 000005
【図４】
2011228401.tif 000006
【図５】
2011228401.tif 000007
【図６】
2011228401.tif 000008
【図７】
2011228401.tif 000009
【図８】
2011228401.tif 000010
【図９】
2011228401.tif 000011
【図１０】
2011228401.tif 000012